(57)【要約】【課題】レンジフードと吊戸棚を取付ける壁面が均一に垂直でなくてもレンジフードと吊戸棚の下端のラインを容易に合わせることができるレンジフードを提供することを目的とする。【解決手段】レンジフード本体１の下方内部から壁面５側へ移動自在に設けられ壁面５に当接する調整手段（調整ねじ１１）を備え、調整手段によってレンジフード本体１と壁面５との隙間を調整する構成としたことにより、レンジフードと吊戸棚９を取付ける壁面５が均一に垂直でなくても、レンジフードと吊戸棚９の下端のラインを容易に合わせることができることとなる。【選択図】図１
2009270768.tif 000002
【特許請求の範囲】
【請求項１】
調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記レンジフード本体の下方内部から前記壁面側へ移動自在に設けられ前記壁面に当接する調整手段を備え、前記調整手段によって前記レンジフード本体と前記壁面との隙間を調整する構成としたことを特徴とするレンジフード。
【請求項２】
調整手段をレンジフード本体内部の下方左右２ヶ所に設け、前記レンジフード本体と壁面との隙間を上下方向および左右方向において調整する構成としたことを特徴とする請求項１記載のレンジフード。
【請求項３】
調整手段を、レンジフード本体の下方内部から壁面側へ螺入した調整ねじとしたことを特徴とする請求項１または２記載のレンジフード。
【請求項４】
調整手段を、レンジフード本体の下方内部から壁面側へスライド自在に設けたスライド機構部としたことを特徴とする請求項１または２記載のレンジフード。
【請求項５】
調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記取付金具は前記レンジフード本体の上面に固定される本体側取付部と前記壁面に固定される壁面側取付部とをＬ字形状に連結してなり、前記本体側取付部と前記壁面側取付部との間の角度を変更自在としたことを特徴とするレンジフード。
【請求項６】
本体側取付部および壁面側取付部の反連結側先端部を繋ぐ補強部材を設け、前記補強部材を伸縮自在としたことを特徴とする請求項５記載のレンジフード。
【請求項７】
調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記取付金具は前記レンジフード本体の上面に固定される本体側取付部と前記壁面に固定される壁面側取付部とをＬ字形状に連結してなり、前記本体側取付部は前記レンジフード本体の上面との間に複数個の弾性変形する調整部材を介して固定されることを特徴とするレンジフード。
【発明の詳細な説明】
【技術分野】
【０００１】
本発明は、調理機器の上方の壁面に設置され、調理時に発生する水蒸気や油煙を排出するレンジフードに関する。
【背景技術】
【０００２】
従来、この種のレンジフードは、レンジフード本体の天面に設けた取付金具によって壁面に固定設置するものが知られている（例えば、特許文献１参照）。
【０００３】
以下、そのレンジフードについて図９を参照しながら説明する。
【０００４】
図に示すように、送風機（図示せず）を内部に設け、調理時に発生する油煙や蒸気を排気するレンジフード本体１０１は、その上面に固定されたＬ字形状の取付金具１０２の垂直部１０２ａに形成された取付穴１０３に固定ねじ１０４を通して壁面１０５にねじ止めすることによって、固定されている。
【０００５】
そして、通常、送風機と室外を連通する排気ダクトを覆い隠す目的で、幕板をレンジフード本体１０１の上面前方に設置し、また、レンジフード本体１０１の側方に、台所用品を収納し、かつシステムキッチンの視覚的なデザイン性を高める効果のある吊戸棚を設置している。
【特許文献１】特開平９−２６９１４３号公報
【発明の開示】
【発明が解決しようとする課題】
【０００６】
近年、家庭用設備商品に対して優れたデザイン性が要求され、システムキッチンにおいても、キッチンに設置される吊戸棚と融合したシンプルで目立たないデザイン性の高いレンジフードが求められているが、上記従来のレンジフードでは、レンジフード本体１０１を取付ける壁面１０５と、吊戸棚の取り付く壁面１０５とがかならずしも均一に垂直ではないことがしばしばあって、レンジフード本体１０１が前後方向に傾く（１°〜３°）という現象が起こり、レンジフード本体１０１の側方に設けられた吊戸棚と下端のラインが一致しなくなり、美観上見苦しく、デザイン性が特に要求されるシステムキッチンにおいては致命傷になるという課題があった。
【０００７】
本発明は上記課題を解決するものであり、レンジフードと吊戸棚を取付ける壁面が均一に垂直でなくても、レンジフードと吊戸棚の下端のラインを容易に合わせることができ、美観的に優れたキッチンを実現することができるレンジフードを提供することを目的とする。
【課題を解決するための手段】
【０００８】
本発明のレンジフードは上記目的を達成するために、調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記レンジフード本体の下方内部から前記壁面側へ移動自在に設けられ前記壁面に当接する調整手段を備え、前記調整手段によって前記レンジフード本体と前記壁面との隙間を調整する構成としたものである。
【０００９】
また他の手段は、調整手段をレンジフード本体内部の下方左右２ヶ所に設け、前記レンジフード本体と壁面との隙間を上下方向および左右方向において調整する構成としたものである。
【００１０】
また他の手段は、調整手段を、レンジフード本体の下方内部から壁面側へ螺入した調整ねじとしたものである。
【００１１】
また他の手段は、調整手段を、レンジフード本体の下方内部から壁面側へスライド自在に設けたスライド機構部としたものである。
【００１２】
また他の手段は、調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記取付金具は前記レンジフード本体の上面に固定される本体側取付部と前記壁面に固定される壁面側取付部とをＬ字形状に連結してなり、前記本体側取付部と前記壁面側取付部との間の角度を変更自在としたものである。
【００１３】
また他の手段は、本体側取付部および壁面側取付部の反連結側先端部を繋ぐ補強部材を設け、前記補強部材を伸縮自在としたものである。
【００１４】
また他の手段は、調理機器の上方に設置され、下面にフィルターを備えた吸込口を有し、内部に調理時に発生する水蒸気や油煙を室外に排出する送風機を設けたレンジフード本体を、その上面に設けた取付金具によって壁面に固定するレンジフードであって、前記取付金具は前記レンジフード本体の上面に固定される本体側取付部と前記壁面に固定される壁面側取付部とをＬ字形状に連結してなり、前記本体側取付部は前記レンジフード本体の上面との間に複数個の弾性変形する調整部材を介して固定されるものである。
【発明の効果】
【００１５】
本発明によれば、レンジフードと吊戸棚を取付ける壁面が均一に垂直でなくても、レンジフード本体と壁面との隙間を調整する構成を備えることによって、レンジフードと吊戸棚の下端のラインを容易に合わせることができる。
【発明を実施するための最良の形態】
【００１６】
本発明の請求項１記載のレンジフードは、レンジフード本体の下方内部から壁面側へ移動自在に設けられ前記壁面に当接する調整手段を備え、前記調整手段によって前記レンジフード本体と前記壁面との隙間を調整する構成としたものであり、レンジフードの下端と吊戸棚の下端とを均一に合わせることができる。
【００１７】
また、請求項２記載のレンジフードは、調整手段をレンジフード本体内部の下方左右２ヶ所に設け、前記レンジフード本体と壁面との隙間を上下方向および左右方向において調整する構成としたものであり、レンジフードの左右側方に吊戸棚を取付ける壁面とレンジフードを取付ける壁面とが均一に垂直でなくても、上下方向および左右方向で隙間を調整して、レンジフードの下端と吊戸棚の下端をより均一に合わせることができることとなる。
【００１８】
また、請求項３記載のレンジフードは、調整手段を、レンジフード本体の下方内部から壁面側へ螺入した調整ねじとしたものであり、調整ねじによる簡単な調整手段によって、レンジフードの下端と吊戸棚の下端とを均一に合わせることができる。
【００１９】
また、請求項４記載のレンジフードは、調整手段を、レンジフード本体の下方内部から壁面側へスライド自在に設けたスライド機構部としたものであり、レンジフードの下端と吊戸棚の下端とを、工具を使わずに均一に合わせることができる。
【００２０】
また、請求項５記載のレンジフードは、取付金具はレンジフード本体の上面に固定される本体側取付部と壁面に固定される壁面側取付部とをＬ字形状に連結してなり、前記本体側取付部と前記壁面側取付部との間の角度を変更自在としたものであり、取付金具自体でレンジフードの下端と吊戸棚の下端を均一に合わせることができる。
【００２１】
また、請求項６記載のレンジフードは、本体側取付部および壁面側取付部の反連結側先端部を繋ぐ補強部材を設け、前記補強部材を伸縮自在としたものであり、より簡単にレンジフードの下端と吊戸棚の下端を均一に合わせることができる。
【００２２】
また、請求項７記載のレンジフードは、取付金具はレンジフード本体の上面に固定される本体側取付部と壁面に固定される壁面側取付部とをＬ字形状に連結してなり、前記本体側取付部は前記レンジフード本体の上面との間に複数個の弾性変形する調整部材を介して固定されるものであり、調整部材の弾性変形量によりきめ細かな隙間の調整をして、レンジフードの下端と吊戸棚の下端をより均一に合わせることができる。
【００２３】
以下、本発明の実施の形態について図１〜図８を参照しながら説明する。
【００２４】
（実施の形態１）
図１に示すように、レンジフード本体１は、その下方に設置された調理機器（図示せず）から発生する油煙や水蒸気を排出する送風機２を内部中央に設け、送風機２は下方向より吸込みが可能で、確実に油煙や水蒸気を排出することができ、快適な空間を保つことができる。また、送風機２の吸込み口側に油煙中の油塵をキャッチするためにフィルター３が配設されている。
【００２５】
また、図２に示すように、レンジフード本体１上面には、送風機２に対応する箇所に吐出口４を形成し、吐出口４に送風機２より吸込んだ油煙や水蒸気を屋外に排出する排気ダクト（図示せず）を接続するとともに、レンジフード本体１を壁面５に固定ねじ６を通して取付ける取付金具７が備えられている。
【００２６】
また、図３に示すように、レンジフード本体１の上面に排気ダクト等を覆い隠す幕板８が取付けられ、左右側方に吊戸棚９が配設されている。
【００２７】
そして、図１および図４に示すように、レンジフード本体１の内部の下方左右２箇所に、ねじ固定部１０にレンジフード本体１内部から壁面５側に螺入し、先端部が壁面５に当接する調整ねじ１１からなる調整手段を設けている。
【００２８】
上記構成のレンジフードの壁面５への設置について以下に説明する。
【００２９】
まず、レンジフード本体１上面に取付金具７を固定した後、固定ねじ６を取付金具７の取付穴１２に通して壁面５にねじ止めし、レンジフード本体１を仮固定する。
【００３０】
そして、レンジフード本体１と左右側方に配設された吊戸棚９との壁面５の垂直度が合っていなく、吊戸棚９とレンジフード本体１の下端がずれ、下端のラインが一致していない場合は、調整ねじ１１の螺入長さを調整することにより、レンジフード本体１の裏面下方と壁面５との隙間の寸法が調整され、レンジフード本体１の下端のラインが角度Ｃ回動して、そのラインを吊戸棚９の下端のラインと一致させることができる。この調整は、左右２ヶ所の調整ねじ１１の螺入長さを調整することにより、上下方向の高さにおけるずれだけでなく、左右方向におけるずれも容易に調整することができる。
【００３１】
この調整を終えたら、固定ねじ６を壁面５に完全にねじ込んで、レンジフード本体１を壁面５に強固に固定する。
【００３２】
このように本発明の実施の形態１のレンジフードによれば、調整ねじ１１をレンジフード本体１に設けた簡単な構成で、レンジフードの下端と吊戸棚９の下端とを均一に合わせることができ、さらに、調整ねじ１１を左右２ヶ所設けることにより、上下方向および左右方向において隙間を調整して、より均等に両下端を合わせることができる。
【００３３】
（実施の形態２）
本発明の実施の形態２のレンジフードは、図５に示すように、上記実施の形態１のレンジフードに対し、調整手段として、図４に示す調整ねじ１１に替えて、レンジフード本体１Ａの下方内部から壁面５側へスライド自在で、複数箇所で係止固定できる構成のスライド機構部１３とした点に特徴がある。
【００３４】
上記構成により、レンジフード本体１Ａと左右側方に配設される吊戸棚９との下端がずれた場合でも、スライド機構部１３のスライド長さを調整することにより、レンジフード本体１Ａの裏面下方と壁面５との隙間の寸法が調整され、レンジフード本体１の下端のラインが角度Ｃ回動して、そのラインを吊戸棚９の下端のラインと一致させることができる。
【００３５】
このように本発明の実施の形態２のレンジフードによれば、スライドして適切な位置で固定する操作で調整することにより、工具なしでレンジフードと吊戸棚との下端のずれをなくすことができる。
【００３６】
（実施の形態３）
図６に示すように、レンジフード本体１Ｂ上面に設けてレンジフード本体１Ｂを壁面５に固定するための取付金具７Ａを、レンジフード本体１Ｂの上面に固定される本体側取付部７ａと、壁面５に固定される壁面側取付部７ｂとをＬ字形状に連結し、本体側取付部７ａと壁面側取付部７ｂの反連結側先端部を補強部材である支え棒１４で繋いだ構成としている。そして、本体側取付部７ａには、支え棒１４の先端部に形成した係止端部１５が係止する本体側係止部１６を前後方向に複数形成し、支え棒１４の係止端部１５が係止する本体側係止部１６の位置を選択変更して、本体側取付部７ａと壁面側取付部７ｂの間の角度を変更自在としている。
【００３７】
上記構成により、レンジフード本体１Ｂと側方に配設される吊戸棚９との下端がずれた場合、支え棒１４の位置が図６に示す２点鎖線の位置から実線の位置に変わるように、係止端部１５が係止する本体側係止部１６の位置を適宜変更することにより、本体側取付部７ａと壁面側取付部７ｂの連結部１７を基点としたレンジフード本体１Ｂの裏面と壁面５との間の角度Ｃが調整され、レンジフード本体１Ｂの下端のラインが回動して、そのラインを吊戸棚９の下端のラインと一致させることが容易にできる。
【００３８】
（実施の形態４）
本発明の実施の形態４のレンジフードは、図７に示すように、上記実施の形態３のレンジフードに対し、取付金具７Ｂの支え棒１４Ａを、図６に示す係止端部１５が複数の本体側係止部１６に選択されて係止する支え棒１４に替えて、支え棒１４Ａの中央部に設けられて回転操作することにより支え棒１４Ａの長さＢを伸縮するハンドル部１８を備えた構成とした点に特徴がある。
【００３９】
上記構成により、レンジフード本体１Ｂと側方に配設される吊戸棚９との下端がずれた場合、支え棒１４Ａのハンドル部１８を回転操作して支え棒１４Ａの長さを変え、本体側取付部７ａと壁面側取付部７ｂの間の角度を調整することにより、連結部１７を基点としたレンジフード本体１Ｂの裏面と壁面５との間の角度Ｃが調整され、レンジフード本体１Ｂの下端のラインが回動して、そのラインを吊戸棚９の下端のラインと一致させることが、より容易にできる。
【００４０】
（実施の形態５）
図８に示すように、レンジフード本体１Ｃを壁面５に固定するための取付金具７Ｃを、レンジフード本体１Ｃの上面に固定される本体側取付部７ｃと、壁面５に固定される壁面側取付部７ｄとをＬ字形状に連結した構成とし、本体側取付部７ｃとレンジフード本体１Ｃ上面との間の前後方向複数箇所に弾性変形する調整部材１９を介在させて、取付ねじ２０により締め付け固定している。
【００４１】
上記構成により、レンジフード本体１Ｃと側方に配設される吊戸棚９との下端がずれた場合、前後の取付ねじ２０の締め付け量を調整して調整部材１９の弾性変形量を前後で適宜変えることにより、レンジフード本体１Ｃの上面後端部を基点としたレンジフード本体１Ｃの裏面と壁面５との間の角度Ｃが調整され、レンジフード本体１Ｃの下端のラインが回動して、そのラインを吊戸棚９の下端のラインと一致させることができる。
【００４２】
上記調整は、調整部材１９における取付ねじ２０の締め付けによる弾性変形量で行われるので、きめ細かな調整ができることとなる。
【００４３】
なお、本実施の形態５では、調整部材１９を前後方向に複数設けているが、左右方向に複数設けて、レンジフード本体１Ｃと左右側方に設置される吊戸棚９との下端がずれた場合に、そのずれの調整を、上記と同様にきめ細かに行うことができる。
【産業上の利用可能性】
【００４４】
本発明に係るレンジフードは、壁面に設置されたときに、その下端のラインを隣設した吊戸棚の下端のラインに容易に調整して合わせることができる効果を有し、この調整手段はインテリア性が重視される居室に設置される空気調和機等にも適用できる。
【図面の簡単な説明】
【００４５】
【図１】本発明の実施の形態１のレンジフードを示す下方斜視図
【図２】同レンジフードの上方斜視図
【図３】同レンジフードの設置状況を示す斜視図
【図４】同レンジフードの要部拡大断面図
【図５】本発明の実施の形態２のレンジフードの要部拡大断面図
【図６】本発明の実施の形態３のレンジフードの設置状態を示す要部側面図
【図７】本発明の実施の形態４のレンジフードの取付金具を示す側面図
【図８】本発明の実施の形態５のレンジフードの設置状態を示す要部断面図
【図９】従来のレンジフードの上方斜視図
【符号の説明】
【００４６】
１      レンジフード本体
１Ａ    レンジフード本体
１Ｂ    レンジフード本体
１Ｃ    レンジフード本体
２      送風機
５      壁面
７      取付金具
７Ａ    取付金具
７Ｂ    取付金具
７Ｃ    取付金具
７ａ    本体側取付部
７ｂ    壁面側取付部
７ｃ    本体側取付部
７ｄ    壁面側取付部
１１    調整ねじ
１３    スライド機構部
１４    支え棒
１４Ａ  支え棒
１８    ハンドル部
１９    調整部材
【図１】
2009270768.tif 000003
【図２】
2009270768.tif 000004
【図３】
2009270768.tif 000005
【図４】
2009270768.tif 000006
【図５】
2009270768.tif 000007
【図６】
2009270768.tif 000008
【図７】
2009270768.tif 000009
【図８】
2009270768.tif 000010
【図９】
2009270768.tif 000011